(57)【要約】【課題】放射面の温度分布にムラを生じさせないようにして、快適な温熱環境を得ることが可能な空調システムを提供する。【解決手段】冷暖房空気を循環させて天井面や壁面を冷却または加熱し、放射冷暖房を行うシステムであって、冷暖房空気循環風路２を循環風路分割手段３で分割し、熱源部６で生成された冷暖房空気を、循環風路分割手段３で分割された各冷暖房空気循環風路２に順次、循環させることにより、ダクト７、８の長さを短くすることができ、ダクト７、８のコストの低減や風路内を流れる冷温風空気の循環風路曲り箇所も少なくすることができ、さらに冷温風空気の圧損も少なることで省エネルギーにも効果をもたらすことができる。【選択図】図１
2008157518.tif 000002
【特許請求の範囲】
【請求項１】
冷暖房空気を循環させて天井面や壁面を冷却または加熱し、放射冷暖房を行うシステムであって、冷暖房空気循環風路部分を循環風路分割手段で分割し、熱源部で生成された前記冷暖房空気を、前記循環風路分割手段で分割された各前記冷暖房空気循環風路部分に順次、循環させることを特徴とした放射冷暖房システム。
【請求項２】
熱源部を放射冷暖房を行う天井面や壁面の外側に配設したことを特徴とした請求項１に記載の放射冷暖房システム。
【請求項３】
冷暖房空気循環風路のヘッダー部の内部に熱源部を配設したことを特徴とした請求項１に記載の放射冷暖房システム。
【発明の詳細な説明】
【技術分野】
【０００１】
本発明は、熱放射を行う天井面や壁面により、快適な温熱環境を提供する放射冷暖房システムに関するものである。
【背景技術】
【０００２】
従来、この種の放射冷暖房システムは、天井部分の風路の入口から出口方向へ向けて熱交換された冷暖房空気を流すものが考案されている（例えば、特許文献１参照）。
【０００３】
図３は、特許文献１に記載された従来の放射冷暖房システムと冷暖房空気の流れを示す斜視図を示すものである。図３に示すように、放射冷暖房システム１００は熱源部１１０で熱交換された冷温風空気を吹き出しダクト１２０より吹き出し、入口側ヘッダー１３０に導入され、天井風路１４０を通過し、出口側ヘッダー１５０に流れ込んだ冷温風空気は、吹き出しダクト１２０と対角に配設してある吸込みダクト１６０より熱源部１１０に導入され循環する。
【０００４】
吹き出しダクト１２０と吸込みダクト１６０が対角に配設されていることで天井風路１４０内の温度分布にムラが生じないようにし、放射面１７０の温度分布にムラが生じないようにしている。
【０００５】
また、入口側ヘッダー１３０と出口側ヘッダー１５０部分の圧損は天井風路１４０部分の圧損に比べ十分小さいので、天井風路１４０の空気抵抗は略均一となる。
【特許文献１】特開平５−１４９５８６号公報
【発明の開示】
【発明が解決しようとする課題】
【０００６】
しかしながら、前記従来の構成では、天井風路の温度分布さらには、放射面温度分布にムラを生じさせないように吹き出しダクトと吸込みダクトを入口側ヘッダーと出口側ヘッダーの対角に配設すると、ダクトの長さが長くなり、また施工コストが高くなり施工工事も時間がかかるという課題があった。
【０００７】
本発明は、前記従来の課題を解決するもので、配管の引き回しを短くすることによりコスト低減やダクト施工工事を容易にすることを目的とするものである。
【課題を解決するための手段】
【０００８】
前記従来の課題を解決するために、本発明の放射冷暖房システムは、冷暖房空気循環風路部分を循環風路分割手段で分割し、熱源部で生成された冷暖房空気を、循環風路分割手段で分割された各冷暖房空気循環風路部分に順次、循環させるものである。これによって、熱源部で生成された冷暖房空気は入口側ヘッダーから出口側ヘッダーを通り、また入口側ヘッダーへ戻って熱源部へ回収されるため、吹き出しダクトと吸込みダクトは、熱源部と入口側ヘッダーを接続すればよく、ダクト長さを短くできる。
【０００９】
例えば、冷暖房空気が放射冷暖房システム内を一往復で循環する場合、従来方式では天井風路面の上に空気調和機が配設されてあったため、空気調和機から吹出された冷暖房空気は、放射冷暖房システム内を循環し、６回風向を変更して空気調和機に戻ってくることになるが、天井循環風路分割手段と熱源部を天井風路面や壁風路面の外側に配設することにより、4回の風向変更ですむことになる。
【発明の効果】
【００１０】
本発明の放射冷暖房システムは、ダクト長さを短くすることができ、ダクトのコストの低減や風路内を流れる冷温風空気の循環風路曲り箇所も少なくすることができ、さらに冷温風空気の圧損も少なることで省エネルギーにも効果をもたらすことができる。
【００１１】
また、天井循環風路分割手段により天井風路方向に分割されたヘッダー部内の一方の端部にダクトの兼用として熱源部を配設することでダクトレスを可能にし、これによって、さらにダクトのコスト削減やさらには、施工工事作業も簡単になる。
【発明を実施するための最良の形態】
【００１２】
第１の発明は、冷暖房空気を循環させて天井面や壁面を冷却または加熱し、放射冷暖房を行うシステムであって、冷暖房空気循環風路部分を循環風路分割手段で分割し、熱源部で生成された前記冷暖房空気を、前記循環風路分割手段で分割された各前記冷暖房空気循環風路部分に順次、循環させることにより、ダクト長さを短くし、ダクトのコストの低減や風路内を流れる冷温風空気の循環風路曲り箇所も少なくすることができ、さらに冷温風空気の圧損も少なることで省エネルギーにも効果をもたらすことができる。
【００１３】
第２の発明は、熱源部を放射冷暖房を行う天井面や壁面の外側に配設したことにより、ダクト長さを短くし、ダクトのコストの低減や風路内を流れる冷温風空気の循環風路曲り箇所も少なくすることができ、さらに冷温風空気の圧損も少なることで省エネルギーにも効果をもたらすことができる。
【００１４】
第３の発明は、冷暖房空気循環風路のヘッダー部の内部に熱源部を配設したことにより、ダクトレス化が可能で、さらにダクトのコスト削減やさらには、施工工事作業も簡単になる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における放射冷暖房システムと冷暖房空気の流れを示す斜視図である。
【００１７】
冷暖房空気循環風路２を流れる空気を流通方向に分割するため、間仕切り状の循環風路分割手段３を放射冷暖房システム１の中央に配設してある。この循環風路分割手段３で分割された放射冷暖房システム１は、入口側ヘッダー４と冷暖房空気循環風路２を中央で空気が漏れないように完全に間仕切り、出口側ヘッダー５のみ中央部を開けて空気が流通するようになっている。熱源部６は入口側ヘッダー４の外側に設置し、循環風路分割手段３で分割された入口側ヘッダー４のそれぞれに吸込みダクト７と吹き出しダクト８で接続している。
【００１８】
熱源部６から吹き出した冷暖房空気は吹き出しダクト８から循環風路分割手段３により分割された一方の放射冷暖房システム１の入口側ヘッダー４に入り、冷暖房空気循環風路２、出口側ヘッダー５に導入され、循環風路分割手段３で分割されたもう一方の冷暖房空気循環風路２を通過し、入口側ヘッダー４，吸込みダクト７、熱源部６へと循環する。
【００１９】
このように、天井循環風路分割手段３で放射冷暖房システム１を分割し、冷暖房空気循環風路２の外側に配設された熱源部６で生成された冷暖房空気を、循環風路分割手段３で分割された各冷暖房空気循環風路２に順次、循環させることで、熱源部６で生成された冷暖房空気は入口側ヘッダー４から出口側ヘッダー５を通り、また入口側ヘッダー４へ戻っ
て熱源部６へ回収されるため、吹き出しダクト８と吸込みダクト７は、熱源部６と入口側ヘッダー４を接続すればよく、ダクト長さを短くすることができ、熱源部６から吹出す冷暖房空気の流通する循環風路曲り箇所も従来より少なくすることができる（６箇所→４箇所）。
【００２０】
これによって、さらにダクトのコスト削減や圧損の低下による省エネルギー化や、施工作業性の向上につながる。さらに従来は、冷暖房空気循環風路２の上に熱源部６が配設されていたため熱源部の故障やメンテナンス時、放射冷暖房システム１の一部を分解し、熱源部６を取り出す必要があり大変困難であった。しかし、天井面の外側に配設することで熱源部６の故障時の修理やメンテナンス時、熱源部６の下側などに点検口さえあけておけば容易に修理やメンテナンスが可能となる。
【００２１】
（実施の形態２）
図２は、本発明の第２の実施の形態における放射冷暖房システムと冷暖房空気の流れを示す斜視図である。
【００２２】
１１は放射冷暖房システムであり冷暖房空気循環風路１２に流れる空気の流通方向に分割するため、間仕切り状の循環風路分割手段１３で空気が漏れないように配設してある。熱源部１４は入口側ヘッダー１５の中に吸込み側が循環風路分割手段１３側に向けてダクト兼用として配設してあるため、熱源部１４の外周面から空気が漏れないようにシールがされてある。
【００２３】
熱源部１４から吹き出した冷暖房空気は循環風路分割手段１３により分割された一方の入口側ヘッダー１５に入り、冷暖房空気循環風路１２、出口側ヘッダー１６に導入され、循環風路分割手段１３で分割されたもう一方の冷暖房空気循環風路１２を通過し、入口側ヘッダー１５、熱源部１４へと循環する。
【００２４】
このように、天井循環風路分割手段１３で放射冷暖房システム１１を分割し、入口側ヘッダー１５の中に熱源部１４配設することで熱源部１４をダクトとして兼用することができ、ダクトレスの放射冷暖房システムが実現できる。これによって、ダクトのコスト削減や圧損の低下による省エネルギー化や、施工作業性の向上につながる。さらに従来は、冷暖房空気循環風路１２の上に熱源部１４が配設されていたため熱源部の故障やメンテナンス時、放射冷暖房システム１１の一部を分解し、熱源部１４を取り出す必要があり大変困難であった。しかし、天井面の外側に配設することで熱源部１４の故障時の修理やメンテナンス時、熱源部１４の下側などに点検口さえあけておけば容易に修理やメンテナンスが可能となる。
【産業上の利用可能性】
【００２５】
以上のように、本発明にかかる放射冷暖房システムは、快適な温熱環境を形成するもので、住宅の放射冷暖房システムだけでなくオフィスや店舗等の放射冷暖房システムの用途にも適用できる。
【図面の簡単な説明】
【００２６】
【図１】本発明の実施の形態１における放射冷暖房システムと冷暖房空気の流れを示す斜視図
【図２】本発明の実施の形態２における放射冷暖房システムと冷暖房空気の流れを示す斜視図
【図３】従来の放射冷暖房システムと冷暖房空気の流れを示す斜視図
【符号の説明】
【００２７】
１、１１  放射冷暖房システム
２、１２  冷暖房空気循環風路
３、１３  循環風路分割手段
４  入口側ヘッダー
５  出口側ヘッダー
６  熱源部
７  吸込みダクト
８  吹き出しダクト
１４  熱源部
１５  入口側ヘッダー
１６  出口側ヘッダー
【図１】
2008157518.tif 000003
【図２】
2008157518.tif 000004
【図３】
2008157518.tif 000005